(57)【要約】【課題】  この発明は、誤操作を防止しつつ、機器が本来有している機能を使用可能とさせることができる画像形成装置を提供することを目的とする。【解決手段】  音声ガイドモードが設定されている場合において、キー入力があったときには、今回操作されたキーが前回操作されたキーと同じであるか否かを判別する第１手段、第１手段によって今回操作されたキーが前回操作されたキーとが同じであると判別された場合には、当該キーが前回操作されたときから今回操作されたときまでの間の時間（以下、操作間隔時間という）が所定時間内か否かを判別する第３手段、第３手段によって操作間隔時間が所定時間内であると判別された場合には今回のキー入力を有効とさせる第５手段を備えている。【選択図】  図１
2006062242.tif 000002
【特許請求の範囲】
【請求項１】
音声ガイトモードが用意されており、音声ガイトモードが設定されている場合には、操作されたキーの名称等を音声案内する機能を備えた画像形成装置において、
音声ガイドモードが設定されている場合において、キー入力があったときには、今回操作されたキーが前回操作されたキーと同じであるか否かを判別する第１手段、
第１手段によって今回操作されたキーが前回操作されたキーとが異なると判別された場合には、今回操作されたキーに関する音声案内を行うとともに今回操作されたキーを前回操作されたキーとして記憶した後、キー入力待機状態とする第２手段、
第１手段によって今回操作されたキーが前回操作されたキーとが同じであると判別された場合には、当該キーが前回操作されたときから今回操作されたときまでの間の時間（以下、操作間隔時間という）が所定時間内か否かを判別する第３手段、
第３手段によって操作間隔時間が所定時間内でないと判別された場合には今回操作されたキーに関する音声案内を行うとともに今回操作されたキーを前回操作されたキーとして記憶した後、キー入力待機状態とする第４手段、ならびに
第３手段によって操作間隔時間が所定時間内であると判別された場合には今回のキー入力を有効とさせる第５手段、
を備えていることを特徴とする画像形成装置。
【請求項２】
音声ガイトモードが用意されており、音声ガイトモードが設定されている場合には、操作されたキーの名称等を音声案内する機能を備えた画像形成装置において、
音声ガイドモードが設定されている場合において、キー入力があったときには、今回操作されたキーが前回操作されたキーと同じであるか否かを判別する第１手段、
第１手段によって今回操作されたキーが前回操作されたキーとが異なると判別された場合には、今回操作されたキーに関する音声案内を行うとともに今回操作されたキーを前回操作されたキーとして記憶した後、キー入力待機状態とする第２手段、
第１手段によって今回操作されたキーが前回操作されたキーとが同じであると判別された場合には、当該キーが前回操作されたときから今回操作されたときまでの間の時間（以下、操作間隔時間という）が第１の所定時間より長いか否かを判別する第３手段、
第３手段によって操作間隔時間が第１の所定時間以下であると判別された場合にはキー入力待機状態とする第４手段、
第３手段によって操作間隔時間が第１の所定時間より長いと判別された場合には、第１の所定時間より長い時間が設定されている第２の所定時間より、操作間隔時間が短いか否かを判別する第５手段、
第５手段によって操作間隔時間が第２の所定時間以上であると判別された場合には、今回操作されたキーに関する音声案内を行うとともに今回操作されたキーを前回操作されたキーとして記憶した後、キー入力待機状態とする第６手段、ならびに
第５手段によって操作間隔時間が第２の所定時間より短いと判別された場合には、今回のキー入力を有効とさせる第７手段、
を備えていることを特徴とする画像形成装置。
【請求項３】
大きく見やすい操作用画像を表示する拡大表示モードが用意されている画像形成装置において、
拡大表示モードが設定されている場合において、キー入力があったときには、今回操作されたキーが前回操作されたキーと同じであるか否かを判別する第１手段、
第１手段によって今回操作されたキーが前回操作されたキーとが異なると判別された場合には、今回操作されたキーを前回操作されたキーとして記憶した後、キー入力待機状態とする第２手段、
第１手段によって今回操作されたキーが前回操作されたキーとが同じであると判別された場合には、当該キーが前回操作されたときから今回操作されたときまでの間の時間（以下、操作間隔時間という）が所定時間内か否かを判別する第３手段、
第３手段によって操作間隔時間が所定時間内でないと判別された場合には今回操作されたキーを前回操作されたキーとして記憶した後、キー入力待機状態とする第４手段、ならびに
第３手段によって操作間隔時間が所定時間内であると判別された場合には今回のキー入力を有効とさせる第５手段、
を備えていることを特徴とする画像形成装置。
【請求項４】
大きく見やすい操作用画像を表示する拡大表示モードが用意されている画像形成装置において、
拡大表示モードが設定されている場合において、キー入力があったときには、今回操作されたキーが前回操作されたキーと同じであるか否かを判別する第１手段、
第１手段によって今回操作されたキーが前回操作されたキーとが異なると判別された場合には、今回操作されたキーを前回操作されたキーとして記憶した後、キー入力待機状態とする第２手段、
第１手段によって今回操作されたキーが前回操作されたキーとが同じであると判別された場合には、当該キーが前回操作されたときから今回操作されたときまでの間の時間（以下、操作間隔時間という）が第１の所定時間より長いか否かを判別する第３手段、
第３手段によって操作間隔時間が第１の所定時間以下であると判別された場合にはキー入力待機状態とする第４手段、
第３手段によって操作間隔時間が第１の所定時間より長いと判別された場合には、第１の所定時間より長い時間が設定されている第２の所定時間より、操作間隔時間が短いか否かを判別する第５手段、
第５手段によって操作間隔時間が第２の所定時間以上であると判別された場合には、今回操作されたキーを前回操作されたキーとして記憶した後、キー入力待機状態とする第６手段、ならびに
第５手段によって操作間隔時間が第２の所定時間より短いと判別された場合には、今回のキー入力を有効とさせる第７手段、
を備えていることを特徴とする画像形成装置。
【発明の詳細な説明】
【技術分野】
【０００１】
この発明は、複写機、複写機能の他にＦＡＸ機能等を備えた複合機等の画像形成装置に関する。
【背景技術】
【０００２】
画像形成装置として、視覚が弱いユーザに対して、大きく見やすい操作用画像を表示している間（拡大表示モード）においては、ジョブ割り込みボタンなどを誤操作しても、操作画像を変化させないようにする機能を備えたものが開発されている（特開２００３−２９８９０号公報参照）。なお、上記公報には、拡大表示モード中において、ユーザが音声カイドを選択している場合には、音声による操作案内を行うことも開示されている。
【０００３】
上記従来例では、拡大表示モード中は、ジョブ割り込みボタンを無効にして、視覚が弱いユーザの誤操作に基いて動作が行われないようにしている。しかしながら、この結果として、拡大表示モード中は、他者によるジョブ割り込みを禁止することになる。
【特許文献１】特開２００３−２９８９０号公報
【発明の開示】
【発明が解決しようとする課題】
【０００４】
この発明は、誤操作を防止しつつ、機器が本来有している機能を使用可能とさせることができる画像形成装置を提供することを目的とする。
【課題を解決するための手段】
【０００５】
請求項１に記載の発明は、音声ガイトモードが用意されており、音声ガイトモードが設定されている場合には、操作されたキーの名称等を音声案内する機能を備えた画像形成装置において、音声ガイドモードが設定されている場合において、キー入力があったときには、今回操作されたキーが前回操作されたキーと同じであるか否かを判別する第１手段、第１手段によって今回操作されたキーが前回操作されたキーとが異なると判別された場合には、今回操作されたキーに関する音声案内を行うとともに今回操作されたキーを前回操作されたキーとして記憶した後、キー入力待機状態とする第２手段、第１手段によって今回操作されたキーが前回操作されたキーとが同じであると判別された場合には、当該キーが前回操作されたときから今回操作されたときまでの間の時間（以下、操作間隔時間という）が所定時間内か否かを判別する第３手段、第３手段によって操作間隔時間が所定時間内でないと判別された場合には今回操作されたキーに関する音声案内を行うとともに今回操作されたキーを前回操作されたキーとして記憶した後、キー入力待機状態とする第４手段、ならびに第３手段によって操作間隔時間が所定時間内であると判別された場合には今回のキー入力を有効とさせる第５手段を備えていることを特徴とする。
【０００６】
請求項２に記載の発明は、音声ガイトモードが用意されており、音声ガイトモードが設定されている場合には、操作されたキーの名称等を音声案内する機能を備えた画像形成装置において、音声ガイドモードが設定されている場合において、キー入力があったときには、今回操作されたキーが前回操作されたキーと同じであるか否かを判別する第１手段、第１手段によって今回操作されたキーが前回操作されたキーとが異なると判別された場合には、今回操作されたキーに関する音声案内を行うとともに今回操作されたキーを前回操作されたキーとして記憶した後、キー入力待機状態とする第２手段、第１手段によって今回操作されたキーが前回操作されたキーとが同じであると判別された場合には、当該キーが前回操作されたときから今回操作されたときまでの間の時間（以下、操作間隔時間という）が第１の所定時間より長いか否かを判別する第３手段、第３手段によって操作間隔時間が第１の所定時間以下であると判別された場合にはキー入力待機状態とする第４手段、第３手段によって操作間隔時間が第１の所定時間より長いと判別された場合には、第１の所定時間より長い時間が設定されている第２の所定時間より、操作間隔時間が短いか否かを判別する第５手段、第５手段によって操作間隔時間が第２の所定時間以上であると判別された場合には、今回操作されたキーに関する音声案内を行うとともに今回操作されたキーを前回操作されたキーとして記憶した後、キー入力待機状態とする第６手段、ならびに第５手段によって操作間隔時間が第２の所定時間より短いと判別された場合には、今回のキー入力を有効とさせる第７手段を備えていることを特徴とする画像形成装置。
【０００７】
請求項３に記載の発明は、大きく見やすい操作用画像を表示する拡大表示モードが用意されている画像形成装置において、拡大表示モードが設定されている場合において、キー入力があったときには、今回操作されたキーが前回操作されたキーと同じであるか否かを判別する第１手段、第１手段によって今回操作されたキーが前回操作されたキーとが異なると判別された場合には、今回操作されたキーを前回操作されたキーとして記憶した後、キー入力待機状態とする第２手段、第１手段によって今回操作されたキーが前回操作されたキーとが同じであると判別された場合には、当該キーが前回操作されたときから今回操作されたときまでの間の時間（以下、操作間隔時間という）が所定時間内か否かを判別する第３手段、第３手段によって操作間隔時間が所定時間内でないと判別された場合には今回操作されたキーを前回操作されたキーとして記憶した後、キー入力待機状態とする第４手段、ならびに第３手段によって操作間隔時間が所定時間内であると判別された場合には今回のキー入力を有効とさせる第５手段を備えていることを特徴とする。
【０００８】
請求項４に記載の発明は、大きく見やすい操作用画像を表示する拡大表示モードが用意されている画像形成装置において、拡大表示モードが設定されている場合において、キー入力があったときには、今回操作されたキーが前回操作されたキーと同じであるか否かを判別する第１手段、第１手段によって今回操作されたキーが前回操作されたキーとが異なると判別された場合には、今回操作されたキーを前回操作されたキーとして記憶した後、キー入力待機状態とする第２手段、第１手段によって今回操作されたキーが前回操作されたキーとが同じであると判別された場合には、当該キーが前回操作されたときから今回操作されたときまでの間の時間（以下、操作間隔時間という）が第１の所定時間より長いか否かを判別する第３手段、第３手段によって操作間隔時間が第１の所定時間以下であると判別された場合にはキー入力待機状態とする第４手段、第３手段によって操作間隔時間が第１の所定時間より長いと判別された場合には、第１の所定時間より長い時間が設定されている第２の所定時間より、操作間隔時間が短いか否かを判別する第５手段、第５手段によって操作間隔時間が第２の所定時間以上であると判別された場合には、今回操作されたキーを前回操作されたキーとして記憶した後、キー入力待機状態とする第６手段、ならびに第５手段によって操作間隔時間が第２の所定時間より短いと判別された場合には、今回のキー入力を有効とさせる第７手段を備えていることを特徴とする。
【発明の効果】
【０００９】
この発明によれば、誤操作を防止しつつ、機器が本来有している機能を使用可能とさせることができるようになる。
【発明を実施するための最良の形態】
【００１０】
以下、図面を参照して、この発明を複写機に適用した場合の実施例について説明する。
【実施例１】
【００１１】
図１は、デジタル複写機の概略構成を示している。
【００１２】
デジタル複写機は、スキャナ部１０と、制御部２０と、ハードディスク（ＨＤＤ）３０と、画像形成部４０と、ユーザ操作部５０と、音声ガイド装置６０とを備えている。スキャナ部１０は、原稿送り装置（ＤＦ）１１と、スキャナ１２と、画像読み取りＣＣＤ１３とを備えている。制御部２０は、ＣＰＵ、ＲＯＭ、ＲＡＭ等を備えている。
【００１３】
画像形成部４０は、レーザスキヤンユニット（ＬＳＵ）４１と、感光体ドラム等を含む静電複写機構とを備えている。ユーザ操作部５０は、テンキー、スタートボタン、割り込ボタン等の各種キーを含むキー入力部５１と、タッチパネルを備えた液晶表示部５２と、ＬＥＤ表示部５３とを備えている。音声ガイド装置６０にはスピーカ６１が接続されている。
【００１４】
原稿送り装置（ＤＦ）１１によって図示しないコンタクトガラス上に送られた原稿はスキャナ１２によって光学的に走査され、画像読み取りＣＣＤ１３によって原稿画像が読み取られる。画像読み取りＣＣＤ１３によって読み取られた原稿画像は、制御部２０を介して、ＨＤＤ３０に格納される。ＨＤＤ３０に格納された画像データは制御部２０を介してＬＳＵ４１に送られる。ＬＳＵ４１は、送られてきた画像データにしたがってレーザ光を発生し、それを変調・偏向して感光体上に静電潜像パターンを形成する。
【００１５】
この複写機では、音声ガイドモードが設定されている場合には、ユーザがあるキーを操作したときには、音声ガイド装置６０およびスピーカ６１によって、そのキーの名称や機能等が音声で案内される。ただし、そのキー入力は有効なキー入力として取り扱われない。この後、一定期間内に、再度同じキーが操作されると、そのキー入力は有効なキー入力として取り扱われる。つまり、そのキー入力に対応する処理が実行される。
【００１６】
図２は、キー入力があった場合の処理手順を示している。
【００１７】
キーが操作されることにより、キー入力があると（ステップＳ１）、音声ガイドモードが設定されているか否かを判別する（ステップＳ２）。音声ガイドモードが設定されている場合には、今回操作されたキーのＩＤ（ＩＤn ）と、前回操作されたキーのＩＤ（ＩＤn-1 ）とが同じであるか否かを判別する（ステップＳ３）。
【００１８】
今回操作されたキーのＩＤ（ＩＤn ）と、前回操作されたキーのＩＤ（ＩＤn-1 ）とが異なる場合には、今回操作されたキーの名称や機能等を音声案内（音声ガイド出力）するとともに（ステップＳ４）、今回操作されたキーのＩＤ（ＩＤn ）を、前回操作されたキーのＩＤ（ＩＤn-1 ）として記憶する（ステップＳ５）。また、タイマをスタートさせた後（ステップＳ６）、ステップＳ１（キー入力待機状態）に戻る。なお、ステップＳ６に移行した場合において、既にタイマがスタートしている場合には、一旦タイマをクリアしてから再スタートさせる。
【００１９】
上記ステップＳ３において、今回操作されたキーのＩＤ（キーＩＤn ）と、前回操作されたキーのＩＤ（キーＩＤn-1 ）とが同じであると判別した場合には、タイマによる計測時間（操作間隔時間）ｔが予め設定された所定時間Ｔｂより長い（ｔ＞Ｔｂ）か否かを判別する（ステップＳ７）。所定時間Ｔｂは、例えば、０．５ｓｅｃに設定される。
【００２０】
タイマーによる計測時間ｔが所定時間Ｔｂ以下である場合には、ステップＳ１に戻る。タイマーによる計測時間ｔが所定時間Ｔｂより長い場合には、タイマーによる計測時間ｔが予め設定された所定時間Ｔｅより短い（ｔ＜Ｔｅ）か否かを判別する（ステップＳ８）。所定時間Ｔｅは、例えば、１０．０ｓｅｃに設定される。
【００２１】
タイマーによる計測時間ｔが所定時間Ｔｅ以上である場合には、ステップＳ４に移行する。タイマーによる計測時間ｔが所定時間Ｔｅより短い場合には、つまり、あるキーが操作されてから、所定時間Ｔｂより長くかつ所定時間Ｔｅより短い時間内に、同じキーが操作された場合には、今回のキー入力が有効なキー入力として取り扱われることをユーザに伝えるための音（キー有効音）を出力した後（ステップＳ９）、今回のキー入力を有効として、そのキー入力に対応した処理を実行する（ステップＳ１０）。そして、タイマをクリアするとともに、前回操作されたキーのＩＤ（キーＩＤn-1 ）として記憶されている内容をクリアした後（ステップＳ１１）、ステップＳ１に戻る。
【００２２】
上記ステップＳ２において、音声ガイドモードが設定されていない場合には、今回のキー入力を有効として、そのキー入力に対応した処理を実行する（ステップＳ１０）。そして、タイマをクリアするとともに、前回操作されたキーのＩＤ（キーＩＤn-1 ）として記憶されている内容をクリアした後（ステップＳ１１）、ステップＳ１に戻る。
【００２３】
なお、上記ステップＳ７を省略してもよい。また、音声ガイドモードが設定されている場合には、操作用画像を拡大表示するようにしてもよい。
【００２４】
また、音声ガイドモードが用意されておらず、視覚が弱いユーザに対して大きく見やすい操作用画像を表示するモード（拡大表示モード）が用意されている複写機（画像形成装置）にも、この発明を適用することができる。この場合には、上記ステップＳ２において、拡大表示モードが設定されているか否かを判別し、拡大表示モードが設定されている場合にはステップＳ３に進み、拡大表示モードが設定されていない場合にはステップＳ１０に進む。また、ステップＳ４の処理を省略する。つまり、ステップＳ３でＮＯまたはステップＳ８でＮＯであれば、ステップＳ５に進む。
【図面の簡単な説明】
【００２５】
【図１】複写機の構成を示すブロック図である。
【図２】キー入力があった場合の処理手順を示すフローチャートである。
【符号の説明】
【００２６】
１０  スキャナ部
２０  制御部
３０  ハードディスク（ＨＤＤ）
４０  画像形成部
５０  ユーザ操作部
５１  キー入力部
５２  液晶表示部
５３  ＬＥＤ表示部
６０  音声ガイド装置
６１  スピーカ
【図１】
2006062242.tif 000003
【図２】
2006062242.tif 000004